(57)【要約】【課題】本発明は胴回り部によって臀部の一部を覆うことができると共に、製造性の良い使い捨て着用物品を提供する。【解決手段】本発明の着用物品は着用者の腹側を覆うフロント部２０１、着用者の背側を覆うバック部２０２、ならびに、フロント部２０１とバック部２０２との間の股部２０３を有する吸収性本体２０と、吸収性本体２０の前記バック部２０２に固着され、バック部２０２から胴回り方向Ｘに突出する一対の胴回り部３０とを備え、各胴回り部３０はバック部２０２に固着されバック部２０２から胴回り方向Ｘの第１の方向Ｘ１に突出する第１ベルト部３１と、第１ベルト部３１の突出端３３において折り返され、突出端３３から第１の方向Ｘ１とは反対の第２の方向Ｘ２に向かってバック部２０２まで延びバック部２０２に固着された第２ベルト部３２とを備える。【選択図】図１
2012183094.tif 000002
【特許請求の範囲】
【請求項１】
着用者の腹側を覆うフロント部、着用者の背側を覆うバック部、ならびに、前記フロント部とバック部との間の股部を有する吸収性本体と、前記吸収性本体の前記バック部に固着され、前記バック部から胴回り方向に突出する一対の胴回り部とを備えた使い捨て着用物品であって、
前記各胴回り部は前記バック部に固着され前記バック部から胴回り方向の第１の方向に突出する第１ベルト部と、前記第１ベルト部の突出端において折り返され、前記突出端から前記第１の方向とは反対の第２の方向に向かって前記バック部まで延び前記バック部に固着された第２ベルト部とを備えた使い捨て着用物品。
【請求項２】
請求項１において、前記第１ベルト部は前記第１ベルト部の延びる第１の方向に沿って伸縮する第１弾性部材を有し、前記第２ベルト部は前記第２ベルト部の延びる第２の方向に沿って伸縮する第２弾性部材を有し、
前記第１の方向と第２の方向とが互いに交差する関係に設定されている使い捨て着用物品。
【請求項３】
請求項１もしくは２の着用物品を製造する方法であって、
前記胴回り部となる胴回り部材と吸収性本体とを固着する工程と、
前記胴回り部材を前記第１ベルト部の一部と前記第２ベルト部の一部とが互いに重なるように折り返す工程と、
前記第２ベルト部を前記バック部に固着して前記胴回り部を形成する工程とを備えた着用物品の製造方法。
【発明の詳細な説明】
【技術分野】
【０００１】
本発明は使い捨て着用物品およびその製造方法に関する。
【背景技術】
【０００２】
一部の使い捨て着用物品においては、胴回り部によって臀部の一部を覆うことがなされているが、材料に無駄が生じないようにすることが重要である。かかる観点から胴回り部であるサイドパネルについての製法が知られている（特許文献１，２）
【先行技術文献】
【特許文献】
【０００３】
【特許文献１】特許第３６７０２８９号（図１）
【特許文献２】特表２０００−５００６８４（要約）
【発明の概要】
【発明が解決しようとする課題】
【０００４】
しかし、前記各先行技術では４枚のサイドパネルで胴回り部が構成されており、各サイドパネルを吸収性本体に配置接合する工程が増加する。したがって、製造性の低下する要因となる。
【０００５】
したがって、本発明は胴回り部によって臀部の一部を覆うことができると共に、製造性の良い使い捨て着用物品を提供することである。
【課題を解決するための手段】
【０００６】
前記目的を達成するために、本発明の着用物品は、着用者の腹側を覆うフロント部、着用者の背側を覆うバック部、ならびに、前記フロント部とバック部との間の股部を有する吸収性本体と、前記吸収性本体の前記バック部に固着され、前記バック部から胴回り方向に突出する一対の胴回り部とを備えた使い捨て着用物品であって、前記各胴回り部は前記バック部に固着され前記バック部から胴回り方向の第１の方向に突出する第１ベルト部と、前記第１ベルト部の突出端において折り返され、前記突出端から前記第１の方向とは反対の第２の方向に向かって前記バック部まで延び前記バック部に固着された第２ベルト部とを備える。
【０００７】
一方、本発明のある製造方法は、着用物品を製造する方法であって、長手方向に延び前記胴回り部となるウエブに吸収性本体を配置して固着する工程と、前記ウエブを切断して前記胴回り部となる胴回り部材を形成する工程と、前記胴回り部材を前記第１ベルト部の一部と前記第２ベルト部の一部とが互いに重なるように折り返す工程と、前記第２ベルト部を前記バック部に固着して前記胴回り部材を形成する工程とを備える。
【発明の効果】
【０００８】
本発明方法によれば、第１ベルト部と第２ベルト部の一部が互いに重なり、他の一部が互いに重ならないように配置することで、胴回り部で臀部を覆い易くなる。
各ベルト部はトリミングをする必要がないので、廃棄する工程を省くことができるだろう。
また、１つの胴回り部が１本の互いに連なった第１および第２ベルト部で形成されるので、胴回り部を吸収性本体に配置する工程が増加しない。
【図面の簡単な説明】
【０００９】
【図１】本発明の使い捨て着用物品の実施例１を示す平面図である。
【図２】同実施例１の使い捨て着用物品を製造する方法を示す平面図である。
【図３】実施例２を示す平面図である。
【図４】実施例３を示す平面図である。
【発明を実施するための形態】
【００１０】
本発明の好ましい実施例においては、前記第１ベルト部は前記第１ベルト部の延びる第１の方向に沿って伸縮する第１弾性部材を有し、前記第２ベルト部は前記第２ベルト部の延びる第２の方向に沿って伸縮する第２弾性部材を有し、前記第１の方向と第２の方向とが互いに交差する関係に設定されている。
【００１１】
この場合、第１の方向と第２の方向が互いに交差する関係に設定されているので、第１ベルト部と第２ベルト部とが互いにラップする部分が小さくなる。そのため、細いベルト部によって臀部を効率良く覆うことができる。
【実施例】
【００１２】
実施例１
以下、本発明の実施例１が図面にしたがって説明される。
図１および図２は実施例１を示す。
【００１３】
着用物品１：
図１に示すように、本実施例の着用物品は、吸収性本体（オムツ本体）２０および一対の胴回り部３０を備えている。前記吸収性本体２０は、着用者の前胴を覆うフロント部２０１、着用者の後胴を覆うバック部２０２、ならびに、前記フロント部２０１とバック部２０２との間の股間を覆う股部２０３を有している。
【００１４】
前記股部２０３はフロント部２０１およびバック部２０２に連なり、前記吸収性本体２０は胴回り方向に直交する縦方向に延びる。
【００１５】
吸収性本体２０には立体ギャザー２００が設けられてもよい。また、吸収性本体２０には、着用者の脚部に沿って括れた脚回り部を形成してもよい。
【００１６】
さらに、吸収性本体２０の脚回りとなる部分などには、着用物品を着用者にフィットさせるための弾性部材が設けられていてもよい。この弾性部材としては、たとえば、複数の糸ゴムや平ゴム、フィルムまたは熱可塑性樹脂を含む材料などを採用することができる。
【００１７】
一般に、前記吸収性本体２０は、着用者の肌面に接するトップシートと前記肌面に接しないバックシートおよび吸収性のコアを備える。
前記トップシートは、液透過性で、かつ、通気性を有する不織布で形成されている。前記トップシートの背面には液不透過性のバックシートにより吸収性本体２０が挟持されている。なお、通気性を有する不織布からなるカバーシートにより、バックシート背面が覆われていてもよい。
【００１８】
前記コアはフラップパルプや多数の吸収性の粉粒体を含んでいてもよい。かかる粉粒体は周知の吸収性の高分子ポリマーからなる。
【００１９】
本実施例の場合、一対の胴回り部３０は１本の長い帯状の胴回り部材３で形成されている。前記胴回り部材３は２枚の不織布（ウエブ）の間にたとえば糸ゴムのような伸縮性の弾性部材が挟まれていてもよい。この場合、胴回り部材３は胴回り方向Ｘに伸縮するギャザーを形成する。
【００２０】
各胴回り部３０は前記吸収性本体２０の前記バック部２０２に固着され、前記バック部２０２から胴回り方向Ｘに突出する第１ベルト部３１および第２ベルト部３２を備える。
前記第１ベルト部３１は前記バック部２０２に固着され前記バック部２０２から遠ざかる第１の方向Ｘ１に突出する。前記第２ベルト部３２は前記第１ベルト部３１の突出端３３において折り返され、前記突出端３３から前記第１の方向Ｘ１とは反対の前記バック部２０２に近づく第２の方向Ｘ２に向かって前記バック部２０２まで延び前記バック部２０２に固着されている。
【００２１】
前記第１の方向Ｘ１と第２の方向Ｘ２とは互いに交差する関係に設定されており、前記第２ベルト部３２は前記吸収性本体２０に向かって斜め下方向に向かうように傾いている。このように傾いていることにより、前記第２ベルト部３２は前記吸収性本体２０の両側において着用者の臀部の一部を覆う。
【００２２】
前記第１ベルト部３１は前記第１ベルト部３１の延びる第１の方向Ｘ１に沿って伸縮する第１弾性部材３１１を有し、前記第２ベルト部３２は前記第２ベルト部３２の延びる第２の方向Ｘ２に沿って伸縮する第２弾性部材３１２を有する。
【００２３】
前記第２ベルト部３２の前記突出端３３の近傍には雄面ファスナ３４のような止着材が固着されている。この雄面ファスナ３４は前記吸収性本体２０のフロント部２０１の非肌面に形成された雌面ファスナ（図示せず）に接合される。
【００２４】
つぎに、前記着用物品の製造方法を図２に基づいて説明する。
【００２５】
図２Ａにおいて、まず、長手方向に延び胴回り部材３となる連続積層体３Ａを生成する。
この連続積層体３Ａは、各胴回り部材３を吸収性本体２０に固着する部位３６，３７および前記雄面ファスナ３４を貼り付ける部位３８については弾性部材による伸縮力が作用しないように、弾性部材が切断等されている。
【００２６】
つぎに、図２Ｂの前記突出端３３となる近傍の前記部位３８に雄面ファスナ３４が貼り付けられる。
【００２７】
その後、図２Ａの前記連続積層体３Ａに吸収性本体２０の前記バック部２０２を配置して固着する。この固着後に、図２Ｂのように、前記連続積層体３Ａを切断して前記胴回り部材３を形成して、個々の着用物品の単位に切り分ける。なお、前記連続積層体３Ａを切断して、個々の胴回り部材３を形成し、９０°反転した後、吸収性本体２０の前記バック部２０２を配置・固着してもよい。
【００２８】
前記切断後に、前記胴回り部材３を前記第１ベルト部３１の一部と前記第２ベルト部３２の一部とが互いに重なるように折り返す。この折り返し時に前記突出端３３の近傍において第１ベルト部３１と第２ベルト部３２とを部分的に互いに溶着する。
前記折り返し後に前記第２ベルト部３２を前記バック部２０２に固着して、一対の胴回り部３０を形成する。
【００２９】
かかる工程により生成された胴回り部３０は前記バック部２０２および前記突出端３３の近傍以外の大半の部分においては前記第１ベルト部３１と前記第２ベルト部３２とが互いに固着されていない。したがって、前記第１ベルト部３１と前記第２ベルト部３２のギャザーによる収縮力が打ち消し合うことなく着用者の臀部や胴の側部に作用する。その結果、オムツのフィット性が向上する。
【００３０】
図３Ａおよび図３Ｂは実施例２を示す。
図３Ａに示すように、本実施例２においては、連続積層体３Ａが所定の波長を持つ波形にスリットされ２分割された後、１波長分の長さに切断されて、長手方向の中央部分３９が凹んだ胴回り部材３が生成される。この胴回り部材３は両側の先端に行くに従い末広がりのテーパ状に形成されている。
【００３１】
図３Ｂに示すように、前記中央部分３９には前記吸収性本体２０が配置される。この時、前記中央部分３９は凹んでいて、両側に比べて弾性部材の本数が少なくなる。従って、配置される前記吸収性本体２０に作用する弾性部材の収縮力が小さくなるため弾性部材を切断等するまでもなく、吸収性本体２０にシワ・ヨゴレが発生しにくくなる。
【００３２】
前記各胴回り部３０の前記第２ベルト部３２となる部位が突出端３３で折り返され、前記第２ベルト部３２の先端が前記吸収性本体２０に固着されている。
【００３３】
本実施例の場合、第１の方向Ｘ１と第２の方向Ｘ２とは真反対であるが、前記第２ベルト部３２が前記第１ベルト部３１よりも下方に突出しているので、前記第２ベルト部３２の下部によって着用者の臀部を覆うことができる。
【００３４】
図４は実施例３を示す。
本実施例３においては、胴回り部材３が、左右で分離しており、かつ、前記第１ベルト部３１および前記第２ベルト部３２の双方が斜めに傾いている。すなわち、前記第１ベルト部３１と前記第２ベルト部３２とは互いに対称となるように傾いている。
【００３５】
なお、前記実施例２および実施例３のその他の構成は実施例１と同様であり、その説明を省略する。
【００３６】
以上のとおり、図面を参照しながら好適な実施例を説明したが、当業者であれば本明細書を見て、自明な範囲で種々の変更および修正を容易に想定するであろう。
たとえば、弾性部材として糸ゴムを用いずに、ベルト部自体を弾性不織布で形成してもよい。
また、本着用物品はＴ型のオムツではなくパンツであってもよい。
したがって、そのような変更および修正は、請求の範囲から定まる本発明の範囲内のものと解釈される。
【産業上の利用可能性】
【００３７】
本発明は、使い捨てオムツやパンツのような使い捨て着用物品に利用できる。
【符号の説明】
【００３８】
２０：吸収性本体（オムツ本体）
２０１：フロント部
２０２：バック部
２０３：股部
３：胴回り部材
３Ａ：連続積層体
３０：胴回り部
３１：第１ベルト部
３２：第２ベルト部
３３：突出端
３４：雄面ファスナ
３６，３７，３８：部位
３９：中央部分
３１１：第１弾性部材
３１２：第２弾性部材
Ｘ：胴回り方向
Ｘ１：第１の方向
Ｘ２：第２の方向
【図１】
2012183094.tif 000003
【図２】
2012183094.tif 000004
【図３】
2012183094.tif 000005
【図４】
2012183094.tif 000006